(57)【要約】【課題】  表示中の番組とは異なる番組を記録することができるとともに、これらの番組を、番組表を用いて簡便に選択して番組表示や番組記録を行なうことができるディジタル放送受信装置を提供する。【解決手段】  複数のトランスポンダから１本のトランスポンダを選択するチャンネルデコード手段１と、トランスポンダに含まれる複数のチャンネルのうち２つのチャンネルを選択する多重分離手段２と、多重分離手段２で選択された２つのチャンネルのうちの一方のチャンネルの符号化された信号を復号し、表示用出力として出力する第１のソースデコード手段３と、多重分離手段２で選択された２つのチャンネルのうち、第１のソースデコード手段３で復号されない他方のチャンネルの符号化された信号を復号し、記録用出力として出力する第２のソースデコード手段４とを備えた。【選択図】  図１
2004180337.tif 000002
【特許請求の範囲】
【請求項１】
複数のチャンネルの番組と前記複数のチャンネルの番組に関する番組情報とを含むトランスポンダを受信するディジタル放送受信装置において、
前記トランスポンダに含まれる複数のチャンネルの番組のうちの１つの番組を表示する表示手段と、
前記表示手段に表示中のチャンネルの番組を除いた番組表を生成する番組表生成手段と、
を備えたディジタル放送受信装置。
【請求項２】
前記表示手段により表示中の番組のチャンネルと前記番組表生成手段により生成される番組表の番組のチャンネルとは、同じトランスポンダ中に含まれるチャンネルであることを特徴とする請求項１記載のディジタル放送受信装置。
【発明の詳細な説明】
【技術分野】
【０００１】
本発明は、ディジタル放送を受信し、その再生信号をメイン及びサブの２系統の出力の一方を表示，或いは，記録用に、又は、他方を記録，或いは，表示用に使用するディジタル放送受信装置に関するものである。
【背景技術】
【０００２】
図５は従来のディジタル放送を受信してその再生信号を出力，表示するディジタル放送受信装置の一例を示す図である。
【０００３】
図において、１０１はチャンネルデコード手段であり、複数のトランスポンダから１本のトランスポンダを選択する。１０２は多重分離手段であり、トランスポンダに含まれる複数のチャンネルのうちの１つを選択するとともに、トランスポンダから上記複数のチャンネルの番組に関する情報であるＥＰＧ（Electronic Program Guide）情報を抜き出す。１０３はソースデコード手段であり、多重分離手段１０２で選択されたチャンネルの符号化信号を復号して出力する。１０５は情報合成手段であり、ソースデコード手段１０３が出力する信号と番組表生成手段１０８が生成した番組表に記述された番組情報とを合成する。１０６は表示手段であり、情報合成手段１０５から出力された映像信号，音声信号，及び，番組情報を表示する。１０７は記録手段であり、ソースデコード手段１０３から出力される映像信号，及び，音声信号を記録する。１０８は番組表生成手段であり、チャンネルデコード手段１０１で選択されたトランスポンダに含まれるチャンネルの番組に関する番組情報や、サービスされているすべての番組情報を多重分離手段１０２から抽出して、該番組情報を基に番組表を生成する。１０９は番組選択手段であり、表示，又は，記録する番組のチャンネルを入力して多重分離手段１０２に出力する。また、チャンネルデコード手段１０１，多重分離手段１０２，ソースデコード手段１０３，及び情報合成手段１０５は、ディジタル放送を受信しその再生信号を出力する受信端末装置（以降、セットトップボックス＝ＳＴＢと略称する）を構成している。
【０００４】
次に、従来のディジタル放送受信装置の動作について説明する。
まず、表示する番組のチャンネルの番号を番組選択手段１０９に入力し、この情報を多重分離手段１０２に出力する。多重分離手段１０２では、番組選択手段１０９に入力されたチャンネルを選択するが、１つのトランスポンダには通常４〜６チャンネルの番組が含まれており、現在チャンネルデコード手段１０１から受けているトランスポンダに該チャンネルが含まれていない場合には、チャンネルデコード手段１０１が受信している複数のトランスポンダの出力信号のうち該チャンネルを含む１つのトランスポンダを選択した後、該トランスポンダの出力信号に含まれる複数のチャンネルのうちから上記チャンネルを選択して抽出し、ソースデコード手段１０３に出力するとともに、該トランスポンダからＥＰＧ情報を抜き出して番組表生成手段１０８に出力する。ソースデコード手段１０３は、多重分離手段１０２から出力された圧縮信号を映像信号，及び，音声信号に復号する。一方、番組表生成手段１０８では、上記ＥＰＧ情報からチャンネルデコード手段１０１で選択したトランスポンダに含まれるチャンネルの番組に関する番組情報や、サービスされているすべての番組情報を記述した番組表を生成する。該番組情報と、ソースデコード手段１０３で再生された映像信号及び音声信号とを、情報合成手段１０５において合成したものを表示手段１０６で画面表示する。また、表示手段１０６において表示中のチャンネルの番組を記録する場合、ソースデコード手段１０３が出力する映像信号及び音声信号を記録手段１０７に対し出力し、記録手段１０７は受け取った信号を記録する。
【０００５】
図６は従来のディジタル放送を受信してその再生信号を出力，表示するディジタル放送受信装置の他の一例を示す図である。
【０００６】
図において、図５と同一符号は同一又は相当部分である。また、１１１は記録側チャンネルデコード手段であり、複数のトランスポンダから１本のトランスポンダを選択する。１１２は記録側多重分離手段であり、トランスポンダに含まれる複数のチャンネルのうちの１つを選択する。１１３は記録側ソースデコード手段であり、記録側多重分離手段１１２で選択されたチャンネルの符号化信号を復号して出力する。
【０００７】
次に、このディジタル放送受信装置の動作について説明する。
【０００８】
表示する番組と同じ番組を記録する場合、或いは、表示手段１０６において表示中のチャンネルとは異なるチャンネルの番組を記録する場合のいずれの場合も、ＳＴＢにおいて図５と全く同様にして出力されて、所望の番組が表示手段１０６で表示され、記録側チャンネルデコード手段１１１で、受信した複数のトランスポンダのうち記録しようとするチャンネルを含む１つのトランスポンダを選択して出力し、該トランスポンダに含まれる複数のチャンネルのうち所望のチャンネルを、記録側多重分離手段１１２が選択して抽出し、これを記録側ソースデコード手段１１３に出力する。この記録側ソースデコード手段１１３が出力する信号は、記録手段１０７で記録される。
図５に示す従来のディジタル放送受信装置においては、上述のように、記録手段１０７では、多重分離手段１０２から出力される信号を記録するので、表示手段１０６で番組を表示中の場合、多重分離手段１０２で選択された１つのチャンネルの番組、すなわち、上記表示中の番組を記録することができるのみであり、表示中の番組のチャンネルと異なるチャンネルの番組を記録することはできない。一方、図６に示す別の従来のディジタル放送受信装置においては、上述のように、第１のＳＴＢとは別個に、第２のＳＴＢを設け、該第２のＳＴＢ中に記録側チャンネルデコード手段１１１，記録側多重分離手段１１２，及び，記録側ソースデコード手段１１３を設けたので、表示手段１０６で番組を表示中の場合であっても、その表示中の番組のチャンネル以外のチャンネルの番組を記録することができる。
【発明の開示】
【発明が解決しようとする課題】
【０００９】
従来のディジタル放送受信装置は、以上のように構成され、表示中の番組のチャンネル以外のチャンネルの番組を記録することができないが、記録側に別個のチャンネルデコード手段等を有することによって、表示中の番組とは別のチャンネルの番組を記録することもできる。
【００１０】
また、後者では、取得される表示中の番組に関するＥＰＧ（Electronic Program Guide）情報は、多重分離手段１０２において、チャンネルデコード手段１０１で選択されたトランスポンダの信号より抽出されるので、当該ＥＰＧ情報には、該トランスポンダに含まれる４〜６チャンネルの番組に関するチャンネル番号，チャンネル名，番組名，スケジュールなどの番組情報が記述される。したがって、上記トランスポンダと同じトランスポンダに含まれるチャンネルであって、表示中の番組のチャンネル以外のものを記録する場合、上記番組情報を利用して記録することも考えられる。しかしながら、上記ＥＰＧ情報には、これらのチャンネルのうちの１チャンネルが表示中であるという情報も記述されているので、該ＥＰＧ情報を用いて、番組表示選択を行なうことができるが、番組記録選択を行なうことはできない。
【００１１】
そこで、記録側で独自のＥＰＧ情報を用いて、番組記録選択を行なうことも可能ではあるが、当該ＥＰＧ情報は、あくまで表示中のチャンネルに関するＥＰＧ情報とは別個独立のため、これら２つのＥＰＧ情報からそれぞれ作成される別個の番組表を用いて、別々に番組表示選択，及び，番組記録選択を行なわなければならない。したがって、表示中のチャンネルを含むトランスポンダに含まれるチャンネルを記録する場合、上記２つのＥＰＧ情報が基本的に同じであるにもかかわらず、同じ１つの番組表上で表示する番組と記録する番組とを比較しながら選択することができないため、煩わしい番組表となり、却って、一目で番組選択できるという番組表の利点が損なわれてしまう。
【００１２】
この発明は、上記の問題点を解消するためになされたもので、表示中の番組とは異なる番組を記録することができるとともに、これらの番組を、番組表を用いて簡便に選択して番組表示や番組記録を行なうことができるディジタル放送受信装置を提供することを目的とする。
【課題を解決するための手段】
【００１３】
上記課題を解決するために、本発明にかかるディジタル放送受信装置は、複数のトランスポンダから１本のトランスポンダを選択するチャンネルデコード手段と、上記トランスポンダに含まれる複数のチャンネルのうち２つのチャンネルを選択する多重分離手段と、上記多重分離手段で選択された２つのチャンネルのうちの一方のチャンネルの符号化された信号を復号し、表示用出力として出力する第１のソースデコード手段と、上記多重分離手段で選択された２つのチャンネルのうち、第１のソースデコード手段で復号されない他方のチャンネルの符号化された信号を復号し、記録用出力として出力する第２のソースデコード手段とを備えたものである。
【００１４】
また、本発明にかかるディジタル放送受信装置において、上記多重分離手段は、上記トランスポンダから該トランスポンダに含まれる複数のチャンネルの番組の番組表を作成するための番組情報を抜き出すものであり、上記番組情報に基づいて番組表を生成する番組表生成手段と、上記番組表生成手段の出力と上記第１のソースデコード手段の出力とを合成して表示用出力として出力する情報合成手段と、外部入力に応じて、上記多重分離手段と上記番組表生成手段とを制御して、表示または記録する番組の選択を行なう番組選択手段とをさらに備えたものである。
【００１５】
また、本発明にかかるディジタル放送受信装置において、上記番組表生成手段は、上記番組情報から該番組情報に含まれるチャンネルすべての番組に対する第１の番組表を生成する第１の番組表生成手段と、上記番組情報より画面表示中のチャンネルについての情報を差し引いた番組情報から第２の番組表を生成する第２の番組表生成手段とを備え、上記番組選択手段は、上記多重分離手段，及び，上記第１，第２の番組表生成手段を制御するものである。
【００１６】
また、本発明にかかるディジタル放送受信装置は、それぞれ複数のトランスポンダから１本のトランスポンダを選択する第１，第２のチャンネルデコード手段と、上記第１のチャンネルデコード手段で選択されたトランスポンダから該トランスポンダに含まれる複数のチャンネルの番組の番組表を作成するための第１の番組情報を抜き出すとともに、該トランスポンダに含まれる複数のチャンネルのうち１つのチャンネルを選択する第１の多重分離手段と、上記第２のチャンネルデコード手段で選択されたトランスポンダから該トランスポンダに含まれる複数のチャンネルの番組の番組表を作成するための第２の番組情報を抜き出すとともに、該トランスポンダに含まれる複数のチャンネルのうち１つのチャンネルを選択する第２の多重分離手段と、上記第１の多重分離手段で選択されたチャンネルの圧縮された信号を復号し、表示用出力として出力する第１のソースデコード手段と、上記第２の多重分離手段で選択されたチャンネルの圧縮された信号を復号し、記録用出力として出力する第２のソースデコード手段と、上記第１の番組情報から上記第１のチャンネルデコード手段で選択されたトランスポンダに含まれる複数のチャンネルすべてに対する第１の番組表を生成する第１の番組表生成手段と、上記第２の番組情報から上記第２のチャンネルデコード手段で選択されたトランスポンダに含まれる複数のチャンネルすべてに対する第２の番組表を生成する第２の番組表生成手段と、上記第１，第２の番組表生成手段，及び，上記第１のソースデコード手段の出力を合成する情報合成手段と、外部入力に応じて、上記第１，第２の番組表生成手段，及び，上記第１，第２の多重分離手段を制御して、番組の選択を行なう番組選択手段とを備えたものである。
【００１７】
また、本発明にかかるディジタル放送受信装置は、それぞれ複数のトランスポンダから１本のトランスポンダを選択する第１，第２のチャンネルデコード手段と、上記第１のチャンネルデコード手段で選択されたトランスポンダから該トランスポンダに含まれる複数のチャンネルの番組の番組表を作成するための第１の番組情報を抜き出すとともに、該トランスポンダに含まれる複数のチャンネルのうち１つのチャンネルを選択する第１の多重分離手段と、上記第２のチャンネルデコード手段で選択されたトランスポンダから該トランスポンダに含まれる複数のチャンネルの番組の番組表を作成するための第２の番組情報を抜き出すとともに、該トランスポンダに含まれる複数のチャンネルのうち１つのチャンネルを選択する第２の多重分離手段と、上記第１の多重分離手段で選択されたチャンネルの圧縮された信号を復号し、表示用出力として出力する第１のソースデコード手段と、上記第２の多重分離手段で選択されたチャンネルの圧縮された信号を復号し、記録用出力として出力する第２のソースデコード手段と、上記番組選択手段に入力された情報に基づいて、上記第１，及び，第２の多重分離手段のうちの一方の出力から番組情報を抽出して第１の番組表を生成する第１の番組表生成手段と、上記番組選択手段に入力された情報に基づいて、上記第１，及び，第２の多重分離手段のうち、上記第１の番組表生成手段で選択されなかったものの出力から番組情報を抽出して第２の番組表を生成する第２の番組表生成手段と、上記第１，第２の番組表生成手段，及び，上記第１のソースデコード手段の出力を合成する情報合成手段と、上記第１，及び，第２のソースデコード手段の出力のいずれか一方を選択して、表示用出力として出力する第１の選択手段と、上記第１，及び，第２のソースデコード手段の出力のうち上記第１の選択手段で選択されない方の出力を記録用出力として出力する第２の選択手段と、外部入力に応じて、上記第１，第２の番組表生成手段，上記第１，第２の多重分離手段，及び，上記第１，第２の選択手段を制御して、番組の選択を行なう番組選択手段とを備えたものである。
【００１８】
また、本発明にかかるディジタル放送受信装置において、上記第１，及び，第２のチャンネルデコード手段の出力のいずれか一方を選択して上記第２の多重分離手段に出力する選択手段をさらに備えたものである。
【００１９】
また、本発明にかかるディジタル放送受信装置において、上記番組選択手段に入力された情報に基づいて、上記第１，又は，第２のソースデコード手段の消費電力を制御する電力制御手段をさらに備えたものである。
【００２０】
また、本発明にかかるディジタル放送受信装置において、上記番組選択手段に入力された情報に基づいて、上記第２のソースデコード手段の消費電力を制御する電力制御手段をさらに備えたものである。
【００２１】
また、本発明にかかるディジタル放送受信装置において、上記番組選択手段に入力された情報に基づいて、上記第２のソースデコード手段，及び，上記第２の選択手段の消費電力を制御する電力制御手段をさらに備えたものである。
【００２２】
また、本発明にかかるディジタル放送受信装置において、上記番組選択手段に入力された情報に基づいて、上記電力制御手段を動作させて上記第２のソースデコード手段へ電力を供給するとともに、第２のソースデコード手段の出力に接続された記録手段を動作させて記録動作の制御を行なう記録制御手段をさらに備えたものである。
【００２３】
また、本発明にかかるディジタル放送受信装置において、上記番組選択手段に入力された情報に基づいて、上記電力制御手段を動作させて上記第２のソースデコード手段，及び，上記第２の選択手段へ電力を供給するとともに、第２の選択手段の出力に接続された記録装置を動作させて記録動作の制御を行なう記録制御手段をさらに備えたものである。
【発明の効果】
【００２４】
以上のように、本発明にかかるディジタル放送受信装置によれば、複数のトランスポンダから１本のトランスポンダを選択するチャンネルデコード手段と、上記トランスポンダに含まれる複数のチャンネルのうち２つのチャンネルを選択する多重分離手段と、上記多重分離手段で選択された２つのチャンネルのうちの一方のチャンネルの符号化された信号を復号し、表示用出力として出力する第１のソースデコード手段と、上記多重分離手段で選択された２つのチャンネルのうち、第１のソースデコード手段で復号されない他方のチャンネルの符号化された信号を復号し、記録用出力として出力する第２のソースデコード手段とを備えた構成としたから、表示中の番組のチャンネルが含まれるトランスポンダに含まれるチャンネルのうち表示中のチャンネルとは異なるチャンネルの番組を記録することができる効果がある。
【００２５】
また、本発明にかかるディジタル放送受信装置において、上記多重分離手段は、上記トランスポンダから該トランスポンダに含まれる複数のチャンネルの番組の番組表を作成するための番組情報を抜き出すものであり、上記番組情報に基づいて番組表を生成する番組表生成手段と、上記番組表生成手段の出力と上記第１のソースデコード手段の出力とを合成して表示用出力として出力する情報合成手段と、外部入力に応じて、上記多重分離手段と上記番組表生成手段とを制御して、表示または記録する番組の選択を行なう番組選択手段とをさらに備えた構成としたから、表示中の番組のチャンネルが含まれるトランスポンダに含まれるチャンネルのうち表示中のチャンネルとは異なるチャンネルの番組を記録することができるとともに、これらの番組を確実に選択して番組表示や番組記録を行なうことができる効果がある。
【００２６】
また、本発明にかかるディジタル放送受信装置において、上記番組表生成手段は、上記番組情報から該番組情報に含まれるチャンネルすべての番組に対する第１の番組表を生成する第１の番組表生成手段と、上記番組情報より画面表示中のチャンネルについての情報を差し引いた番組情報から第２の番組表を生成する第２の番組表生成手段とを備え、上記番組選択手段は、上記多重分離手段，及び，上記第１，第２の番組表生成手段を制御するものとしたから、表示中の番組のチャンネルが含まれるトランスポンダに含まれるチャンネルのうち表示中のチャンネルとは異なるチャンネルの番組を記録することができるとともに、これらの番組を確実に選択して番組表示や番組記録を行なうことができ、特に裏録画可能な番組を一目で選択することができる効果がある。
【００２７】
また、本発明にかかるディジタル放送受信装置によれば、それぞれ複数のトランスポンダから１本のトランスポンダを選択する第１，第２のチャンネルデコード手段と、上記第１のチャンネルデコード手段で選択されたトランスポンダから該トランスポンダに含まれる複数のチャンネルの番組の番組表を作成するための第１の番組情報を抜き出すとともに、該トランスポンダに含まれる複数のチャンネルのうち１つのチャンネルを選択する第１の多重分離手段と、上記第２のチャンネルデコード手段で選択されたトランスポンダから該トランスポンダに含まれる複数のチャンネルの番組の番組表を作成するための第２の番組情報を抜き出すとともに、該トランスポンダに含まれる複数のチャンネルのうち１つのチャンネルを選択する第２の多重分離手段と、上記第１の多重分離手段で選択されたチャンネルの圧縮された信号を復号し、表示用出力として出力する第１のソースデコード手段と、上記第２の多重分離手段で選択されたチャンネルの圧縮された信号を復号し、記録用出力として出力する第２のソースデコード手段と、上記第１の番組情報から上記第１のチャンネルデコード手段で選択されたトランスポンダに含まれる複数のチャンネルすべてに対する第１の番組表を生成する第１の番組表生成手段と、上記第２の番組情報から上記第２のチャンネルデコード手段で選択されたトランスポンダに含まれる複数のチャンネルすべてに対する第２の番組表を生成する第２の番組表生成手段と、上記第１，第２の番組表生成手段，及び，上記第１のソースデコード手段の出力を合成する情報合成手段と、外部入力に応じて、上記第１，第２の番組表生成手段，及び，上記第１，第２の多重分離手段を制御して、番組の選択を行なう番組選択手段とを備えた構成としたから、表示中の番組のチャンネルが含まれるトランスポンダとは異なるトランスポンダに含まれるチャンネルの番組を記録することができるだけでなく、記録専用の番組表によって記録番組を確実に選択して記録することができる。
【００２８】
また、本発明にかかるディジタル放送受信装置によれば、それぞれ複数のトランスポンダから１本のトランスポンダを選択する第１，第２のチャンネルデコード手段と、上記第１のチャンネルデコード手段で選択されたトランスポンダから該トランスポンダに含まれる複数のチャンネルの番組の番組表を作成するための第１の番組情報を抜き出すとともに、該トランスポンダに含まれる複数のチャンネルのうち１つのチャンネルを選択する第１の多重分離手段と、上記第２のチャンネルデコード手段で選択されたトランスポンダから該トランスポンダに含まれる複数のチャンネルの番組の番組表を作成するための第２の番組情報を抜き出すとともに、該トランスポンダに含まれる複数のチャンネルのうち１つのチャンネルを選択する第２の多重分離手段と、上記第１の多重分離手段で選択されたチャンネルの圧縮された信号を復号し、表示用出力として出力する第１のソースデコード手段と、上記第２の多重分離手段で選択されたチャンネルの圧縮された信号を復号し、記録用出力として出力する第２のソースデコード手段と、上記番組選択手段に入力された情報に基づいて、上記第１，及び，第２の多重分離手段のうちの一方の出力から番組情報を抽出して第１の番組表を生成する第１の番組表生成手段と、上記番組選択手段に入力された情報に基づいて、上記第１，及び，第２の多重分離手段のうち、上記第１の番組表生成手段で選択されなかったものの出力から番組情報を抽出して第２の番組表を生成する第２の番組表生成手段と、上記第１，第２の番組表生成手段，及び，上記第１のソースデコード手段の出力を合成する情報合成手段と、上記第１，及び，第２のソースデコード手段の出力のいずれか一方を選択して、表示用出力として出力する第１の選択手段と、上記第１，及び，第２のソースデコード手段の出力のうち上記第１の選択手段で選択されない方の出力を記録用出力として出力する第２の選択手段と、外部入力に応じて、上記第１，第２の番組表生成手段，上記第１，第２の多重分離手段，及び，上記第１，第２の選択手段を制御して、番組の選択を行なう番組選択手段とを備えた構成としたから、衛星放送の２つのトランスポンダのように、同じ種類の２つのトランスポンダにそれぞれ含まれる２つのチャンネル、１つのトランスポンダに含まれる２つのチャンネル、或いは、衛星放送と地上波放送のような種類の異なる２つのトランスポンダにそれぞれ含まれる２つのチャンネルのうち、いずれの２つのチャンネルであっても、一方を表示し、他方を記録することができ、表示するものを第１の番組表から、記録するものを第２の番組表から、それぞれ別個に選択でき、表示と記録とを誤って選択するということを回避できる効果がある。
【００２９】
また、本発明にかかるディジタル放送受信装置において、上記第１，及び，第２のチャンネルデコード手段の出力のいずれか一方を選択して上記第２の多重分離手段に出力する選択手段をさらに備えた構成としたから、表示中の番組のチャンネルが含まれるトランスポンダに加え、該トランスポンダとは異なるトランスポンダに含まれる別のチャンネルの番組を記録することができる効果がある。また、記録専用の番組表によって記録可能な番組を確実に選択して記録することができる。
【００３０】
また、本発明にかかるディジタル放送受信装置において、上記番組選択手段に入力された情報に基づいて、上記第１，又は，第２のソースデコード手段の消費電力を制御する電力制御手段をさらに備えた構成としたから、さらに消費電力を削減することができる効果がある。
【００３１】
また、本発明にかかるディジタル放送受信装置において、上記番組選択手段に入力された情報に基づいて、上記第２のソースデコード手段の消費電力を制御する電力制御手段をさらに備えた構成としたから、さらに消費電力を削減することができる効果がある。
【００３２】
また、本発明にかかるディジタル放送受信装置において、上記番組選択手段に入力された情報に基づいて、上記第２のソースデコード手段，及び，上記第２の選択手段の消費電力を制御する電力制御手段をさらに備えた構成としたから、さらに消費電力を削減することができる効果がある。
【００３３】
また、本発明にかかるディジタル放送受信装置において、上記番組選択手段に入力された情報に基づいて、上記電力制御手段を動作させて上記第２のソースデコード手段へ電力を供給するとともに、第２のソースデコード手段の出力に接続された記録手段を動作させて記録動作の制御を行なう記録制御手段をさらに備えた構成としたから、さらに消費電力を削減しつつ、自動的に記録手段の動作を制御して記録することができる効果がある。
【００３４】
また、本発明にかかるディジタル放送受信装置において、上記番組選択手段に入力された情報に基づいて、上記電力制御手段を動作させて上記第２のソースデコード手段，及び，上記第２の選択手段へ電力を供給するとともに、第２の選択手段の出力に接続された記録装置を動作させて記録動作の制御を行なう記録制御手段をさらに備えたから、さらに消費電力を削減しつつ、録画専用の番組表を用いて、チャンネル番号や放送開始時刻及び終了時刻などの面倒な数字を入力することなく、容易かつ確実に録画番組を選択して録画することができる効果がある。
【発明を実施するための最良の形態】
【００３５】
以下、本発明の実施の形態を添付図面に基づき詳細に説明する。
（実施の形態１）
図１は本発明の実施の形態１によるディジタル放送受信装置の構成を示す図であり、図において、１はチャンネルデコード手段であり、複数のトランスポンダから１本のトランスポンダを選択する。２は多重分離手段であり、トランスポンダに含まれる複数のチャンネルのうちから２つを選択するとともに、トランスポンダからＥＰＧ情報を抜き出す。３は第１のソースデコード手段であり、多重分離手段２で選択された２つのチャンネルの一方の符号化信号を復号して映像信号及び音声信号に再生する。４は第２のソースデコード手段であり、多重分離手段２で選択された２つのチャンネルの他方の符号化信号を復号して映像信号，及び，音声信号に再生する。５は情報合成手段であり、映像情報，及び，音声情報と番組表生成手段８で生成された番組表とを合成してメイン信号とする。６は表示手段であり、情報合成手段５から出力されたメイン信号を表示する。７は第２のソースデコード手段４から出力されるサブ信号を記録する記録手段である。８は番組表生成手段であり、多重分離手段２で抜き出されたＥＰＧ情報から番組表を生成する。９は番組選択手段であり、ＥＰＧ情報に基づいて表示する番組又は記録する番組を選択する。１０はリモコンであり、選択する番組のチャンネル番号や放送時間などを選択，入力する。
【００３６】
次に動作について説明する。チャンネルデコード手段１で、受信している複数のトランスポンダの出力信号のうちの１つを選択して出力する。上述したように、１つのトランスポンダの出力信号には通常４〜６チャンネルの番組が含まれており、多重分離手段２は、チャンネルデコード手段１から受け取ったトランスポンダの出力信号に含まれる複数のチャンネルのうちから２つを選択して抽出し、一方を第１のソースデコード手段３に、他方を第２のソースデコード手段４に出力するとともに、該トランスポンダからＥＰＧ情報を抜き出して番組表生成手段８に出力する。番組表生成手段８では、上記ＥＰＧ情報からチャンネルデコード手段１で選択したトランスポンダに含まれる複数のチャンネルの番組のデータ情報や、サービスされているすべての番組情報を記述した番組表を生成する。該番組表と、第１のソースデコード手段３で再生された映像信号，及び，音声信号とを、情報合成手段５において合成したものをメイン信号として表示手段６で画面表示する。また、第２のソースデコード手段４で再生された映像信号，及び，音声信号は、サブ信号として記録手段７で記録される。また、リモコン１０で表示する番組，及び，この表示する番組のチャンネルとは異なるチャンネルの番組を記録、すなわち、裏録画する番組の２つのチャンネルの番号を番組選択手段９に入力し、これらの情報を番組選択手段９から多重分離手段２に出力してチャンネルが選択される。
【００３７】
ここで、チャンネルデコード手段１は、１つのトランスポンダの出力信号を選択して出力するため、上記サブ信号系統で裏録画する番組のチャンネルとしては、上記メイン信号系統で表示する番組のチャンネルが含まれるトランスポンダと同じトランスポンダに含まれるものに限られる。
【００３８】
本実施の形態１によるディジタル放送受信装置では、まず、リモコン１０で表示する番組のチャンネルの番号を番組選択手段９に入力し、この情報を多重分離手段２に出力する。多重分離手段２では、番組選択手段９に入力されたチャンネルを選択するが、チャンネルデコード手段１から受けているトランスポンダに該チャンネルが含まれていない場合には、チャンネルデコード手段１が受信している複数のトランスポンダの出力信号のうち該チャンネルを含む１つのトランスポンダを選択した後、該トランスポンダの出力信号に含まれる複数のチャンネルのうちから上記チャンネルを選択して抽出し、第１のソースデコード手段３に出力するとともに、該トランスポンダからＥＰＧ情報を抜き出して番組表生成手段８に出力する。番組表生成手段８では、上記ＥＰＧ情報からチャンネルデコード手段１で選択したトランスポンダに含まれるチャンネルの番組のデータ情報や、サービスされているすべての番組のデータ情報を記述した番組表を生成する。該番組表と、第１のソースデコード手段３で再生された映像信号及び音声信号とを、情報合成手段５において合成したものをメイン信号として表示手段６で画面表示する。次に、表示手段６に表示された番組表に記述されたチャンネルの範囲から、リモコン１０で選択可能な裏録画番組を番組選択手段９に入力する。この入力された裏録画番組に関する情報を多重分離手段２に出力する。多重分離手段２では、既に選択して第１のソースデコード手段３に出力しているチャンネルとは別に、上記入力された裏録画番組のチャンネルを選択して抽出し、第２のソースデコード手段４に出力する。そして、第２のソースデコード手段４で再生された裏録画する番組の映像信号，及び，音声信号は、サブ信号として記録手段７で記録することができる。したがって、画面に表示中の番組のチャンネルとは異なるチャンネルであって、裏録画可能な番組のチャンネルを適切に選択して、裏録画することができる。
【００３９】
このように、本実施の形態１によるディジタル放送受信装置では、複数のトランスポンダから１本のトランスポンダを選択するチャンネルデコード手段１と、選択されたトランスポンダから番組情報を抜き出すとともに、該トランスポンダに含まれる複数のチャンネルのうち２つのチャンネルを選択する多重分離手段２と、多重分離手段２で選択された２つのチャンネルのうちの一方の符号化されたチャンネルを復号する第１のソースデコード手段３と、第１のソースデコード手段３で復号されない他方の符号化されたチャンネルを復号する第２のソースデコード手段４と、多重分離手段２の出力から番組情報を抽出し番組表を生成する番組表生成手段８と、番組表生成手段８の出力と第１のソースデコード手段３の出力とを合成する情報合成手段５と、多重分離手段２と番組表生成手段８とを制御する番組選択手段９とを備えた構成としたから、表示中の番組のチャンネルが含まれるトランスポンダに含まれるチャンネルのうち表示中のチャンネルとは異なるチャンネルの番組を記録することができるとともに、これらの番組を適切に選択して番組表示や番組記録を行なうことができる。
【００４０】
なお、本実施の形態１においては、裏録画を行なう場合、すなわち、表示している番組のチャンネルと異なるチャンネルの番組を記録する場合についてのみ説明したが、表示中の番組を同時に記録する場合には、図５で説明した従来のディジタル放送受信装置と同様に、ソースデコード手段３からの出力をメイン信号とは別にサブ信号として記録手段７で記録するようにすればよい。
【００４１】
（実施の形態２）
図２は本発明の実施の形態２によるディジタル放送受信装置の構成を示す図であり、図において、図１と同一符号は同一又は相当部分である。また、１１は第１の番組表生成手段であり、実質的に図１の番組表生成手段８と同じもので、多重分離手段２で抜き出されたＥＰＧ情報から第１の番組表を生成する。１２は第２の番組表生成手段であり、多重分離手段２で抜き出されたＥＰＧ情報と第１のソースデコード手段３に出力されているチャンネルの情報とから、第２のソースデコード手段４に出力可能なチャンネル、すなわち、裏録画可能なチャンネルに関する第２の番組表を生成する。１３は電力制御手段であり、第２のソースデコード手段４からの出力を止めて電力消費を抑える。１４は記録制御手段であり、選択した番組のＥＰＧ情報に基づいて記録手段を制御する。
【００４２】
次に、動作については、基本的に図１と同様にして番組表示，又は，裏番組録画が行なわれるので、図１と異なる動作を中心に説明すると、多重分離手段２は、図１ではチャンネルデコード手段１から受け取ったトランスポンダからＥＰＧ情報を抜き出して出力した番組表生成手段８に替えて、該ＥＰＧ情報を第１の番組表生成手段１１に出力し、また、上記ＥＰＧ情報と第１のソースデコード手段３に出力されているチャンネルの情報とを第２の番組表生成手段１２に出力する。第１の番組表生成手段１１では、図１の番組表生成手段８と同じく、上記ＥＰＧ情報からチャンネルデコード手段１で選択したトランスポンダに含まれるチャンネルの番組のデータ情報を記述した番組表（第１の番組表）を生成する。一方、第２の番組表生成手段１２では、上記ＥＰＧ情報と第１のソースデコード手段３に出力されているチャンネルの情報とを受け取って、これらの情報によってチャンネルデコード手段１で選択されて出力されたトランスポンダに含まれるチャンネルから表示中の番組のチャンネルを除いたものに関する番組表、すなわち、裏録画可能なチャンネルの番組表（第２の番組表）を生成する。該第２の番組表には、第１の番組表から表示中の番組のチャンネルに関するＥＰＧ情報を除いたものが記述されていることになる。第１の番組表，及び，第２の番組表と、第１のソースデコード手段３で再生された映像信号，及び，音声信号を、情報合成手段５において合成したものをメイン信号として表示手段６で画面表示する。
【００４３】
また、画面表示された第２の番組表上でリモコン１０により裏録画する番組を選んで番組選択手段９に入力すると、記録制御手段１４は、番組選択手段９に入力された情報と、多重分離手段２で得られたサービス情報とに従って記録手段７を作動させ記録を行なう。
【００４４】
さらに、番組を画面表示しているだけで、記録していない場合、番組選択手段９では記録する番組が選択されていない状態であり、この状態を電力制御手段１３が番組選択手段９から把握すると、電力制御手段１３は第２のソースデコード手段４，及び，記録手段７の電力供給を絶ち、番組選択手段９で記録する番組が選択されたときのみ電力を供給する。このようにサブ信号系を使用しないときには、その他に、サブ信号処理系のクロックを止めたり、入力データを固定したりする方法によっても消費電力の削減が図られる。或いは、電力制御手段１３は、番組が表示中か否かということも番組選択手段９から把握して、第１のソースデコード手段３，情報合成手段５，及び，表示手段６の電力供給を調整する。なお、このような電力制御手段１３を有する場合、記録制御手段１４は、さらにこの電力制御手段１３を制御し、記録時，若しくは，表示時には、動作させて記録手段への電力供給を確保しなければならない。
【００４５】
ここで、情報合成手段５では、第１の番組表，及び，第２の番組表と、第１のソースデコード手段３で再生された映像信号を、合成するものとしたが、上記第１の番組表，及び，上記第２の番組表については、一方のみを選択して、上記映像信号と合成してもよいし、番組選択を行なわないときには、両方とも表示しないようにすることもできる。この場合、第１の番組表生成手段１１，又は，第２の番組表生成手段１２からの出力は、番組選択手段９において選択することにより制御する。
【００４６】
また、画面表示された番組表上で裏録画する番組を選ぶ場合、第２の番組表を用いたが、第１の番組表上で選択することも可能である。ただし、第１の番組表には、表示中の番組に関するＥＰＧ情報も含まれているため、該ＥＰＧ情報を除いた第２の番組表を用いた方が確実に選択できることはいうまでもない。
【００４７】
このように、本実施の形態２によるディジタル放送受信装置では、複数のトランスポンダから１本のトランスポンダを選択するチャンネルデコード手段１と、選択されたトランスポンダから番組情報を抜き出すとともに、該トランスポンダに含まれる複数のチャンネルのうち２つのチャンネルを選択する多重分離手段２と、多重分離手段２で選択された２つのチャンネルのうちの一方の符号化されたチャンネルを復号する第１のソースデコード手段３と、第１のソースデコード手段３で復号されない他方の符号化されたチャンネルを復号する第２のソースデコード手段４と、多重分離手段２で、チャンネルデコード手段１で選択されたトランスポンダより抜き出された、該トランスポンダに含まれる複数のチャンネルすべての番組情報から該複数のチャンネルすべてに対する第１の番組表を生成する第１の番組表生成手段１１と、上記第１の番組表に記述された番組情報より画面表示中のチャンネルを差し引いた番組情報から番組表を生成する第２の番組表生成手段１２と、第１の番組表生成手段１１，及び，第２の番組表生成手段１２の出力と第１のソースデコード手段３の出力とを合成する情報合成手段５と、多重分離手段２，第１の番組表生成手段１１，及び，第２の番組表生成手段１２を制御する番組選択手段９とを備えた構成としたから、表示中の番組のチャンネルが含まれるトランスポンダに含まれるチャンネルのうち表示中のチャンネルとは異なるチャンネルの番組を記録することができるとともに、これらの番組を確実に選択して番組表示や番組記録を行なうことができ、特に裏録画可能な番組を一目で選択することができる。また、画面表示された第２の番組表上で裏録画する番組を選択して、記録制御手段１４は、記録手段を作動させ記録を行なうものとしたので、チャンネル番号や放送開始時刻及び終了時刻などの面倒な数字を入力することなく、容易かつ確実に記録する番組を選択して記録することができる。さらに、番組選択手段９で選択されている表示，及び，裏録画の状況を把握して、第２のソースデコード手段４，及び，記録手段７、或いは、第１のソースデコード手段３，情報合成手段５，及び，表示手段６の電力供給を制御する電力制御手段１３を備えた構成としたので、消費電力を削減することが可能である。
【００４８】
なお、実施の形態２においても、実施の形態１と同様、裏録画を行なう場合、すなわち、表示している番組のチャンネルと異なるチャンネルの番組を記録する場合についてのみ説明したが、表示中の番組を同時に記録する場合には、実施の形態１と同様にして、ソースデコード手段３からの出力をメイン信号とは別にサブ信号として記録手段７で記録するようにすればよい。また、番組を予約表示してその裏番組を予約録画する場合であっても同様である。
【００４９】
（実施の形態３）
図３は本発明の実施の形態３によるディジタル放送受信装置の構成を示す図であり、図において、図１又は図２と同一符号は同一又は相当部分である。また、２１は第１のチャンネルデコード手段であり、複数のトランスポンダから１本のトランスポンダを選択する。２２は第１の多重分離手段であり、第１のチャンネルデコード手段２１で選択されたトランスポンダから第１のＥＰＧ情報を抜き出すとともに、該トランスポンダに含まれる複数のチャンネルのうち１つのチャンネルを選択する。２３は第１のソースデコード手段であり、第１の多重分離手段で選択された符号化チャンネルを復号する。２５は第１の選択手段であり、第１のソースデコード手段２３，及び，第２のソースデコード手段３３からの信号のいずれかを選択して情報合成手段５に出力する。３１は第２のチャンネルデコード手段であり、第１のチャンネルデコード手段２１とは別に設けられ、複数のトランスポンダから１本のトランスポンダを選択する。３２は第２の多重分離手段であり、第２のチャンネルデコード手段３１で選択されたトランスポンダから第２のＥＰＧ情報を抜き出すとともに、該トランスポンダに含まれる複数のチャンネルのうち１つのチャンネルを選択する。３３は第２のソースデコード手段であり、第２の多重分離手段３２で選択された符号化チャンネルを復号する。２４は第１の番組表生成手段であり、番組選択手段９に入力された情報に基づいて第１のＥＰＧ情報，及び，第２のＥＰＧ情報のいずれかから第１の番組表を生成する。３４は第２の番組表生成手段であり、番組選択手段９に入力された情報に基づいて第１のＥＰＧ情報，及び，第２のＥＰＧ情報のいずれかから第２の番組表を生成する。３５は第２の選択手段であり、第１のソースデコード手段２３，及び，第２のソースデコード手段３３からの信号のいずれかを選択して記録手段７に出力する。
【００５０】
本実施の形態３によるディジタル放送受信装置は、それぞれ異なるトランスポンダ、特に一方が衛星放送，他方が地上波放送用であるトランスポンダに含まれる２つのチャンネルの番組の一方を表示し、他方を記録するものである。
【００５１】
次に動作について説明する。
【００５２】
まず、第１のチャンネルデコード手段２１，及び，第２のチャンネルデコード手段３１は、それぞれ衛星放送用，及び，地上波放送用のものとし、表示する地上波放送の番組，及び，記録する衛星放送の番組のチャンネルの番号を番組選択手段９に入力し、これらの情報のうち、表示する番組についての情報，及び，記録する番組についての情報をそれぞれ第１の多重分離手段２２，及び，第２の多重分離手段３２に出力する。そして、第１の多重分離手段２２では、番組選択手段９に入力された衛星放送の番組のチャンネルを選択する。もちろんチャンネルデコード手段２１から受けているトランスポンダに該チャンネルが含まれていない場合には、チャンネルデコード手段２１で受信している複数のトランスポンダの出力信号のうち該チャンネルを含む１つのトランスポンダを選択した後、該トランスポンダの出力信号に含まれる複数のチャンネルのうちから該チャンネルを選択して抽出し、第１のソースデコード手段２３に出力するとともに、該トランスポンダから第１のＥＰＧ情報（衛星放送のＥＰＧ情報）を抜き出して第１の番組表生成手段２４，及び，第２の番組表生成手段３４に出力する。一方、第２の多重分離手段３２でも第１の多重分離手段２２と同様にして、番組選択手段９に入力された地上波放送の番組のチャンネルを選択して抽出し、第２のソースデコード手段３３に出力するとともに、該トランスポンダから第２のＥＰＧ情報（地上波放送のＥＰＧ情報）を抜き出して第１の番組表生成手段２４，及び，第２の番組表生成手段３４に出力する。また、第１の番組表生成手段２４，及び，第２の番組表生成手段３４では、番組選択手段９に入力された情報に基づいて、それぞれ上記第２のＥＰＧ情報，及び上記第１のＥＰＧ情報を選択して、該第２のＥＰＧ情報から第２のチャンネルデコード手段３１で選択したトランスポンダに含まれるチャンネルの番組のデータ情報を記述した第１の番組表（地上波放送の番組表）を生成し、該第１のＥＰＧ情報から第１のチャンネルデコード手段２１で選択したトランスポンダに含まれるチャンネルの番組のデータ情報を記述した第２の番組表（衛星放送の番組表）を生成する。そして、第１のソースデコード手段２３，及び，第２のソースデコード手段３３で再生された映像信号，及び，音声信号は、いずれも第１の選択手段２５，及び，第２の選択手段３５に出力されるが、第１の選択手段２５，及び，第２の選択手段３５は、番組選択手段９に入力された情報に基づいて、それぞれ第２のソースデコード手段３３で再生された信号，及び，第１のソースデコード手段２３で再生された信号を選択する。また、上記第１の番組表，及び，上記第２の番組表と、第１の選択手段２５で選択された地上波放送の信号とを、情報合成手段５で合成したものをメイン信号として表示手段６で画面表示する。一方、第２の選択手段３５で再生された衛星放送の信号は、サブ信号として記録手段７で記録する。また、画面表示された第２の番組表上で記録する番組を選んで番組選択手段９に入力すると、記録制御手段１４は、番組選択手段９に入力された情報に従って記録手段７を作動させ記録を行なう。さらに、番組を画面表示しているだけで、記録していない場合、番組選択手段９では記録する番組が選択されていない状態であり、この状態を電力制御手段１３が番組選択手段９から把握すると、電力制御手段１３は第２のソースデコード手段４，第２の選択手段３５，及び，記録手段７の電力供給を絶ち、番組選択手段９で記録する番組が選択されたときのみ電力を供給する。
【００５３】
ここで、上記動作においては、第１のチャンネルデコード手段２１，及び，第２のチャンネルデコード手段３１を、それぞれ衛星放送用，及び，地上波放送用のものとし、地上波放送の番組を表示し、衛星放送の番組を記録する場合について説明したが、第１のチャンネルデコード手段２１，及び，第２のチャンネルデコード手段３１のいずれを衛星放送用，地上波放送用とするか、又は、衛星放送，及び，地上波放送のいずれを表示，或いは，記録するかについては、自由に設定することができる。これに関連して、上述のように、第１の番組表生成手段２４，及び，第２の番組表生成手段３４では、番組選択手段９に入力された、第１のチャンネルデコード手段２１，及び，第２のチャンネルデコード手段３１で選択されたチャンネルのいずれが表示，或いは，記録されるかという情報に基づいて、上記第１のＥＰＧ情報，及び，第２のＥＰＧ情報のいずれかを選択して、常に第１の番組表，及び，第２の番組表には、それぞれ表示しているチャンネルを含むチャンネルの情報，及び，記録しているチャンネルを含むチャンネルの情報が記述されるので、表示するものは第１の番組表から、記録するものは第２の番組表から、それぞれ別個に選択でき、表示と記録とを誤って選択するということもない。
【００５４】
このように、本実施の形態３によるディジタル放送受信装置では、複数のトランスポンダから１本のトランスポンダを選択する衛星放送用，或いは，地上波放送用の第１のチャンネルデコード手段２１と、選択されたトランスポンダから第１のＥＰＧ情報を抜き出すとともに、該トランスポンダに含まれる複数のチャンネルのうち１つを選択する第１の多重分離手段２２と、第１の多重分離手段で選択された符号化チャンネルを復号する第１のソースデコード手段２３と、第１のチャンネルデコード手段２１とは別に設けられ、複数のトランスポンダから１本のトランスポンダを選択する第１のチャンネルデコード手段２１とは異なる種類の放送用の第２のチャンネルデコード手段３１と、第２のチャンネルデコード手段３１で選択されたトランスポンダから第２のＥＰＧ情報を抜き出すとともに、該トランスポンダに含まれる複数のチャンネルのうち１つのチャンネルを選択する第２の多重分離手段３２と、第２の多重分離手段３２で選択された符号化チャンネルを復号する第２のソースデコード手段２３と、番組選択手段９に入力された情報に基づいて、上記第１，及び，第２のＥＰＧ情報のいずれかを選択する第１の番組表生成手段２４，及び，第２の番組表生成手段３４と、第１のソースデコード手段２３，及び，第２のソースデコード手段３３からの信号のいずれかを選択して情報合成手段５に出力する第１の選択手段２５と、第１のソースデコード手段２３，及び，第２のソースデコード手段３３からの信号のいずれかを選択して記録手段７に出力する第２の選択手段３５と、第１の番組表生成手段２４，第２の番組表生成手段３４，及び，第１の選択手段の出力を合成する情報合成手段５と、第１の多重分離手段２２，第２の多重分離手段３２，第１の番組表生成手段２４，第２の番組表生成手段３４，第１の選択手段２５，及び，第２の選択手段３５を制御する番組選択手段９とを備えた構成としたから、一方が衛星放送、他方が地上波放送による２つのチャンネルの番組の一方を表示し、他方を記録することができ、表示するものを第１の番組表から、記録するものを第２の番組表から、それぞれ別個に選択でき、表示と記録とを誤って選択するということもない。また、画面表示された第２の番組表上で記録する番組を選択して、記録手段７を作動させ記録を行なう記録制御手段１４を備えたので、チャンネル番号や放送開始時刻及び終了時刻などの面倒な数字を入力することなく、容易かつ確実に記録する番組を選択して記録することができる。さらに、番組選択手段９で選択されている記録の状況を把握して、第２のソースデコード手段３３，第２の選択手段３５，及び，記録手段７への電力供給を制御する電力制御手段１３を備えた構成としたので、消費電力を削減することが可能である。
【００５５】
なお、本実施の形態３によるディジタル放送受信装置は、一方が衛星放送，他方が地上波放送用であるトランスポンダに含まれる２つのチャンネルの番組の一方を表示し、他方を記録するものとしたが、双方が同じ種類の放送用のトランスポンダに含まれる２つのチャンネルの番組にすることも可能である。たとえば、双方が衛星放送によるチャンネルである場合には、表示する番組，及び，記録する番組のチャンネルが含まれるトランスポンダは、それぞれ第１のチャンネルデコード手段２１，及び，第２のチャンネルデコード手段３１で選択されるので、第１の選択手段２５，及び，第２の選択手段３５で選択する必要はない。ただし、同じチャンネルの番組を表示，及び，記録する場合には、第１のソースデコード手段２３から出力される１つのチャンネルを第２の選択手段で選択すればよい。同様に、第１の番組表生成手段２４，及び，第２の番組用生成手段３４でも、それぞれ第１の多重分離手段２２からのＥＰＧ情報，及び，第２の多重分離手段３２からのＥＰＧ情報により、それぞれ表示用の第１の番組表，及び，記録用の第２の番組表を生成できるので、第１の多重分離手段２２，及び，第２の多重分離手段３２の双方からのＥＰＧ情報を受ける必要はなくなる。また、上述のように、同じチャンネルの番組を表示，及び，記録する場合には、第１の多重分離手段２２から出力される１つのＥＰＧ情報を第２の番組表生成手段３４で選択する。
【００５６】
（実施の形態４）
図４は本発明の実施の形態４によるディジタル放送受信装置の構成を示す図であり、図において、図３と同一符号は同一又は相当部分である。また、４０は選択手段であり、第１のチャンネルデコード手段２１，及び，第２のチャンネルデコード手段３１の出力を切り替えて第２の多重分離手段３２に出力する。
【００５７】
本実施の形態４によるディジタル放送受信装置は、第１のチャンネルデコード手段２１，及び，第２のチャンネルデコード手段３１の出力を切り替える選択手段４０を備えることによって、それぞれ異なるトランスポンダに含まれる２つのチャンネルの番組の一方を表示し、他方を記録するものである実施の形態３によるディジタル放送受信装置において、同じトランスポンダに含まれる２つのチャンネルの番組の一方を表示し、他方を記録できるようにしたものである。
【００５８】
次に動作について、上記２つのチャンネルが異なるトランスポンダに含まれる場合、及び、同じトランスポンダに含まれる場合に分けて順に説明する。
【００５９】
まず、前者の場合、表示，及び，記録する番組のチャンネルの番号を番組選択手段９に入力し、これらの情報のうち、表示する番組についての情報，及び，記録する番組についての情報をそれぞれ第１の多重分離手段２２，及び，第２の多重分離手段３２に出力する。そして、第２の多重分離手段３２は、番組選択手段９に入力された記録する番組のチャンネルが含まれるトランスポンダを、第２のチャンネルデコード手段３１に選択させ、選択手段４０は第２のチャンネルデコード手段３１から出力されるトランスポンダの信号を選択して、第２の多重分離手段３２に出力する。その他は、実施の形態３と同じ動作により異なるトランスポンダに含まれる２つのチャンネルの一方を表示手段６で表示し、他方を記録手段７で記録する。
【００６０】
次に、後者の場合、すなわち、表示する番組のチャンネルと記録する番組のチャンネルとが同じトランスポンダに含まれる場合には、表示，及び，記録する番組のチャンネルの番号を番組選択手段９に入力し、この情報を第１の多重分離手段２２，及び，第２の多重分離手段３２に出力する。そして、第１の多重分離手段２２では、番組選択手段９に入力された表示，及び，記録する番組のチャンネル２つを選択して抽出し、第１のソースデコード手段２３に出力するとともに、該トランスポンダから第１のＥＰＧ情報を抜き出して第１の番組表生成手段２４に出力する。第１の番組表生成手段２４では、上記第１のＥＰＧ情報から第１のチャンネルデコード手段２１で選択したトランスポンダに含まれるチャンネルの番組のデータ情報を記述した番組表（第１の番組表）を生成する。一方、第２の多重分離手段３２は、第２のチャンネルデコード手段３１にトランスポンダを選択させず、この場合、選択手段４０は第１のチャンネルデコード手段２１から出力されるトランスポンダの信号を選択して、第２の多重分離手段３２に出力する。そして、第２の多重分離手段３２では、記録する番組のチャンネルを選択して、第２のソースデコード手段３３に出力するとともに、上記第１のＥＰＧ情報と第１のソースデコード手段２３に出力されているチャンネルの情報とを第２の番組表生成手段３４に出力する。また、第２の番組表生成手段３４では、上記第１のＥＰＧ情報と第１のソースデコード手段２３に出力されているチャンネルの情報とによって第１のチャンネルデコード手段２１で選択されて出力されたトランスポンダに含まれるチャンネルから表示中の番組のチャンネルを除いたものに関する番組表、すなわち、裏録画可能なチャンネルの番組表（第２の番組表）を生成する。その他は、実施の形態３と同じ動作により異なるトランスポンダに含まれる２つのチャンネルの一方を表示手段６で表示し、他方を記録手段７で記録する。
【００６１】
また、画面表示された第２の番組表上で記録する番組を選んで番組選択手段９に入力すると、番組選択手段９から記録制御手段１４に指示して、第２の番組表生成手段３４で生成される第２の番組表のもとになるデータ情報から記録手段７を作動させて記録を行なう。
【００６２】
また、表示手段６だけが作動して番組を画面表示しているだけで、記録手段７は作動せず記録していない場合、番組選択手段９では記録する番組が選択されていない状態であり、この状態を電力制御手段１３で把握すると、電力制御手段１３は第２のソースデコード手段３３，及び，記録手段７の電力供給を絶ち、番組選択手段９で記録する番組が選択されたときのみ電力を供給する。
【００６３】
さらに、同一トランスポンダに含まれる２つの番組を選択する場合は、電力制御手段１３により第２のチャンネルデコード手段３１の電力の供給をやめる。
【００６４】
ここで、上記第２の番組表は、前者の場合、実施の形態３と同様、第１の番組表とは全く異なる記録専用のものであり、後者の場合には、実施の形態２と同様、上記第１の番組表から表示中の番組のチャンネルを除いたものすなわち、裏録画可能なチャンネルの番組表となっており、内容の異なるものではあるが、いずれの場合にも、該第２の番組表を用いて確実に記録できる番組を選択することが可能となる。
【００６５】
このように、本実施の形態４によるディジタル放送受信装置では、複数のトランスポンダから１本のトランスポンダを選択する第１のチャンネルデコード手段２１，及び，第２のチャンネルデコード手段３１と、第１のチャンネルデコード手段２１で選択されたトランスポンダから該トランスポンダに含まれる複数のチャンネルの番組の番組表を作成するための第１の番組情報を抜き出すとともに、該トランスポンダに含まれる複数のチャンネルのうち１つのチャンネルを選択する第１の多重分離手段２２と、第１のチャンネルデコード手段２１，及び，第２のチャンネルデコード手段３１の出力を切り替える選択手段４０と、選択手段４０で選択された第１のチャンネルデコード手段２１，或いは，第２のチャンネルデコード手段３１で選択されたトランスポンダから該トランスポンダに含まれる複数のチャンネルの番組の番組表を作成するための第２の番組情報を抜き出すとともに、該トランスポンダに含まれる複数のチャンネルのうち１つのチャンネルを選択する第２の多重分離手段３２と、第１の多重分離手段２２で選択されたチャンネルの圧縮された信号を復号し、表示用出力として出力する第１のソースデコード手段２３と、第２の多重分離手段３２で選択されたチャンネルの圧縮された信号を復号し、記録用出力として出力する第２のソースデコード手段３３と、上記第１の番組情報から第１のチャンネルデコード手段２１で選択されたトランスポンダに含まれる複数のチャンネルすべてに対する第１の番組表を生成する第１の番組表生成手段２４と、上記第２の番組情報から第２の番組表を生成する第２の番組表生成手段３４と、第１の番組表生成手段２４，第２の番組表生成手段３４，及び，第１のソースデコード手段２３の出力を合成する情報合成手段５と、外部入力に応じて、第１の番組表生成手段２４，第２の番組表生成手段３４，第１の多重分離手段２２，及び，第２の多重分離手段３２を制御して、番組の選択を行なう番組選択手段９とを備えた構成としたから、実施の形態３と同様、表示中の番組のチャンネルが含まれるトランスポンダとは異なるトランスポンダに含まれるチャンネルの番組を記録することができるだけでなく、自動的かつ容易に、表示中の番組のチャンネルが含まれるトランスポンダと同じトランスポンダの別のチャンネルの番組を記録することができ、１つの番組表によって記録可能な番組を確実に選択して記録することができる。また、画面表示された第２の番組表上で裏録画する番組を選択して、自動的に記録手段を作動させ記録を行なう記録制御手段１４を備えたので、チャンネル番号や放送開始時刻及び終了時刻などの面倒な数字を入力することなく、容易かつ確実に記録する番組を選択して記録することができる。さらに、番組選択手段９で選択されている裏録画の状況を把握して、第２のソースデコード手段３３，及び，記録手段７の電力供給を制御する電力制御手段１３を備えた構成としたので、消費電力を削減することが可能である。
【産業上の利用可能性】
【００６６】
本発明にかかるディジタル放送受信装置は、表示中の番組とは異なる番組を記録することができるとともに、これらの番組を、番組表を用いて簡便に選択して番組表示や番組記録を行なうことができるディジタル放送受信装置等として有用である。
【図面の簡単な説明】
【００６７】
【図１】実施の形態１によるディジタル放送受信装置の構成を示すブロック図である。
【図２】実施の形態２によるディジタル放送受信装置の構成を示すブロック図である。
【図３】実施の形態３によるディジタル放送受信装置の構成を示すブロック図である。
【図４】実施の形態４によるディジタル放送受信装置の構成を示すブロック図である。
【図５】従来のディジタル放送受信装置の一例の構成を示すブロック図である。
【図６】従来のディジタル放送受信装置の他の一例の構成を示すブロック図である。
【符号の説明】
【００６８】
１  チャンネルデコード手段
２  多重分離手段
３  第１のソースデコード手段
４  第２のソースデコード手段
５  情報合成手段
６  表示手段
７  記録手段
８  番組表生成手段
９  番組選択手段
１０  リモコン
１１  第１の番組表生成手段
１２  第２の番組表生成手段
１３  電力制御手段
１４  記録制御手段
２１  第１のチャンネルデコード手段
２２  第１の多重分離手段
２３  第１のソースデコード手段
２４  第１の番組表生成手段
２５  第１の選択手段
３１  第２のチャンネルデコード手段
３２  第２の多重分離手段
３３  第２のソースデコード手段
３４  第２の番組表生成手段
３５  第２の選択手段
４０  選択手段
１０１  チャンネルデコード手段
１０２  多重分離手段
１０３  ソースデコード手段
１０５  情報合成手段
１０６  表示手段
１０７  記録手段
１０８  番組表生成手段
１０９  番組選択手段
１１１  記録側チャンネルデコード手段
１１２  記録側多重分離手段
１１３  記録側ソースデコード手段
【図１】
2004180337.tif 000003
【図２】
2004180337.tif 000004
【図３】
2004180337.tif 000005
【図４】
2004180337.tif 000006
【図５】
2004180337.tif 000007
【図６】
2004180337.tif 000008